(57)【要約】【課題】使用に際しては長く引き延ばして用いることができ、持ち運びや保管にあたっては短く、コンパクトに収縮させておくことができる発光表示器を提供する。【解決手段】電源保持部１と、光源及び光源点灯消灯回路５が収容された光源部２と、伸縮可能の中空の発光用ロッド３とを含み、電源保持部１は光源部１に接続され、ロッド３は光源部２に接続され、光源部２は、ロッド３の中空部へ光を出射するための表示用光源４１Ｒ、４１Ｂを含んでいるとともに、光源４１Ｒ、４１Ｂからの光を、ロッド３の中空部へ透過させる光透過壁２１を有している発光表示器Ａ。光源部２は、照明用光源４１Ｗを含むとともに該光源から出射される光を外部へ透過させるための光透過壁を有していてもよい。【選択図】      図１
2007147745.tif 000002
【特許請求の範囲】
【請求項１】
電源保持部と、
光源及び光源点灯消灯回路が収容された光源部と、
伸縮可能の中空の発光用ロッドとを含み、
前記電源保持部は前記光源部に接続され、
前記発光用ロッドは前記光源部に接続され、少なくとも一部が透光性部分であり、
前記光源部は、前記光源として前記発光用ロッドの中空部へ光を出射するための表示用光源を含んでいるとともに、該表示用光源からの光を、該光源部に接続される前記発光用ロッドの中空部へ透過させる光透過壁を有していることを特徴とする発光表示器。
【請求項２】
前記光源部は、前記光源として照明用光源を含んでいるとともに、該照明用光源から出射される光を光源部の外部へ透過させるための光透過壁を有している請求項１記載の発光表示器。
【請求項３】
前記伸縮可能の中空の発光用ロッドは、それぞれ内外径が異なる複数の円錐台形状の筒体からなり、該複数の筒体のうち内外径が最も大きい筒体が前記光源部に接続される基部筒体とされ、該基部筒体が前記光源部に接続された状態で残りの筒体が多重に該基部筒体に押入れた収縮状態又は該残りの筒体が該基部筒体から引き出されて伸長した状態におくことができる請求項１又は２記載の発光表示器。
【請求項４】
前記発光用ロッドは、前記残りの筒体が前記基部筒体に押し入れられた収縮状態を保てるように、該押し入れられた筒体の該基部筒体からの飛び出しを防止する止め具を有している請求項３記載の発光表示器。
【発明の詳細な説明】
【技術分野】
【０００１】
本発明は、人及び（又は）車両の交通整理、交通取締りにおける車両停止指示、工場等における各種表示などに用いることができる発光表示器に関する。
【背景技術】
【０００２】
従来、人及び（又は）車両の交通整理等に用いる発光表示器については各種のものが提案され、実用化されてきたが、それらの中に、例えば交通整理や交通取締りにおける車両停止指示に用いるに好適なものとして棒状に長いものがあった。
【発明の開示】
【発明が解決しようとする課題】
【０００３】
しかしながら、かかる棒状に長い発光表示器は、持ち運びや保管において嵩張るという問題がある。
【０００４】
そこで本発明は、使用に際しては棒状に引き伸ばして用いることができ、持ち運びや保管にあたっては短く、コンパクトに収縮させておくことができる発光表示器を提供することを課題とする。
【課題を解決するための手段】
【０００５】
前記課題を解決するため本発明は、
電源保持部と、
光源及び光源点灯消灯回路が収容された光源部と、
伸縮可能の中空の発光用ロッドとを含み、
前記電源保持部は前記光源部に接続され、
前記発光用ロッドは前記光源部に接続され、少なくとも一部が透光性部分であり、
前記光源部は、前記光源として前記発光用ロッドの中空部へ光を出射するための表示用光源を含んでいるとともに、該表示用光源からの光を、該光源部に接続される前記発光用ロッドの中空部へ透過させる光透過壁を有している発光表示器を提供する。
【０００６】
本発明に係る発光表示器によると、発光用ロッドを引き伸ばし伸長状態として従来の棒状に長い発光表示器と同様に用いることができ、使用しない持ち運びや保管等においては、発光用ロッドを収縮状態にコンパクト化することができる。
【０００７】
発光用ロッドを伸長させた状態において、光源を点灯させると、該光源から発せられた光は、光源部の光透過壁を通過して発光用ロッドの中空部内へ出射され、さらに、発光用ロッドの少なくとも一部に設けられた透光性部分から発光用ロッド外へ出射される。
【０００８】
かくして本発明に係る発光表示器は、人及び（又は）車両の交通整理、交通取締りにおける車両停止指示、工場等における各種表示などに用いることができる。
【０００９】
発光用ロッドは、全体的に透光性を有していてもよいし、部分的に透光性を有していてもよい。例えば、発光用ロッドが伸長状態におかれたとき、透光性部分が複数段に配置されるように透光性部分を有していてもよい。
【００１０】
前記光源部は、前記光源として照明用光源を含んでいてもよい。照明用光源を採用し、光源部を該照明用光源から出射される光を外部へ透過させるための光透過壁を有するものとすることで、該照明用光源を点灯させ、該光透過壁から光源部外部へ光を出射させて、手元等を照らす懐中電灯のように用いることができる。
【００１１】
前記表示用光源は複数設けてもよい。照明用光源についても同様である。表示用光源を複数設ける場合、該複数の表示用光源には異なる色に発光する光源を含めてもよく、その場合、前記光源点灯消灯回路に、該異なる色に発光する光源の発光動作を制御する制御部（例えばマイクロコンピュータ）を含めてもよい。
いずれにしても、光源の代表例として発光ダイオードを挙げることができる。
【００１２】
前記伸縮可能の中空の発光用ロッドとしては、次のものを例示できる。すなわち、
それぞれ内外径が異なる複数の円錐台形状の筒体からなり、該複数の筒体のうち内外径が最も大きい筒体が前記光源部に接続される基部筒体とされ、該基部筒体が前記光源部に接続された状態で残りの筒体が多重に該基部筒体に押し入れられた収縮状態又は該残りの筒体が該基部筒体から引き出されて伸長した状態におくことができる発光用ロッドである。
内外径が最小の筒体についてはその先端部を閉じたものとしてもよい。
【００１３】
かかる発光用ロッドは、前記残りの筒体を前記基部筒体に押し入れた収縮状態を保てるように、該押し入れられた筒体の該基部筒体からの飛び出しを防止する止め具を有していてもよい。
【発明の効果】
【００１４】
以上説明したように本発明によると、使用に際しては長く棒状に引き延ばして用いることができ、持ち運びや保管にあたっては短く、コンパクトに収縮させておくことができる発光表示器を提供することができる。
【発明を実施するための最良の形態】
【００１５】
以下本発明に係る発光表示器の１例について図面を参照して説明する。
図示の発光表示器Ａは、人及び（又は）車両の交通整理、交通取締りにおける車両停止指示等に好適に用いることができる表示器である。
表示器Ａは、電源保持部１、光源部２及び発光用ロッド３を含んでいる。
【００１６】
電源保持部１は、上端１１を開口させ、下端を底壁１２で閉じた、合成樹脂製の筒形状のもので、内部に電源を収容するものである。図示例では電源として乾電池Ｂが、保持部の内底部に設けたスプリング様接点部材１５に接触させて収容されている。しかし電源は放充電可能の電池等であってもよい。電源保持部１の上端部外周には雄ネジ１３が設けられており、雄ネジ１３の下端周囲にフランジ部１４が形成されている。
【００１７】
光源部２は、上端を上壁２１で閉塞し、下端を開口させ、上端部外周に雄ネジ２２を、下端部内周に雌ネジ２３を設けた、合成樹脂製の筒形状のものである。
光源部２の内部には、表示用光源４１Ｒ及び４１Ｂ、照明用光源４１Ｗ及び光源点灯消灯回路５等が収容されており、周壁の一部に各光源の点灯、消灯、点滅等を切り替え操作するための切替スイッチ６が付設されている。
【００１８】
表示用光源４１Ｒ、４１Ｂは所謂砲弾型の発光ダイオードであり、これらはその光出射頂部を光源部上壁２１へ向けて基板４２に配列されている。さらに説明すると、図４に示すように、円形の基板４２上に、６個の赤色発光ダイオード４１Ｒが６０°の中心角度間隔で円形に配列されているとともにその内側に２個の赤色発光ダイオード４１Ｒが１８０°の中心角度間隔で配列され、さらに、６個の青色発光ダイオード４１Ｂも６０°の中心角度間隔で円形に配列されているとともにその内側に２個の青色発光ダイオード４１Ｂが１８０°の中心角度間隔で配列されている。
【００１９】
外側列の発光ダイオード４１Ｒ、４１Ｂは３０°の等中心角度間隔で交互に並んでおり、内側の発光ダイオード４１Ｒ、４１Ｂは、９０°の等中心角度間隔で交互に並んでいる。基板４２は図示省略の部材により光源部２に支持されている。
【００２０】
照明用光源４１Ｗは砲弾型の白色発光ダイオードであり、本例では１個が、その光出射頂部を横方向へ向けて基板４３に設置されている。
基板４３にはこれら光源４１Ｒ、４１Ｂ及び４１Ｗを点灯消灯させるための回路５も搭載されている。基板４３は図示省略の部材により光源部２に支持されている。回路５については後述する。
【００２１】
光源部２は、少なくとも、発光ダイオード４１Ｒ、４１Ｂに臨む上壁２１及び発光ダイオード４１Ｗに臨む周壁の部分２４を光透過壁とすればよいが、本例では、光源部２の全体が透明樹脂で作製されている。
【００２２】
電源保持部１と光源部２とは、それらの雄ネジ１３、雌ネジ２３を相互に螺合させることで分離可能に接続される。かかる接続状態では、電源保持部１のフランジ部１４と光源部２の下端面との間にシールリング（ここではオーリング）２０が介在せしめられ、かくして、電源保持部１及び光源部２は防水状態に保たれ、雨中等においても、それらに水が侵入することは防止される。
なお、光源部２の内側には板バネ様の接点部材１６が設けられており、これは光源部２と電源保持部１とを接続したとき、電池Ｂに当接する。
【００２３】
発光用ロッド３は、伸縮可能の中空のものである。ロッド３は、それぞれ内外径が異なる複数（本例では四つ）の円錐台形状の筒体３１、３２、３３、３４からなる。該複数の筒体のうち内外径が最も大きい筒体３１は光源部２に接続される基部筒体である。基部筒体３１の下端部内周には雌ネジ３１１が形成されている。
内外径が最小の筒体３４は、その先端部３４１が閉じられている。これら筒体３１〜３４からなる発光用ロッド３は少なくとも一部が透孔性を有する部分であればよいが（例えば各筒体の少なくとも一部が透孔性を有する部分であればよいが）、本例では、筒体３１〜３４のそれぞれは、いずれも乳白色の透光性を有する合成樹脂で形成されている。
【００２４】
これら筒体３１〜３４は、基部筒体３１に筒体３２が、筒体３２に筒体３３が、筒体３３に筒体３４が、それぞれ内嵌するように組み合わされている。このように組み合わされた状態で、基部筒体３１の雌ネジ３１１が光源部２の上端部の雄ネジ２２に螺合されることで、発光用ロッド３が取り外し可能に光源部２に接続されている。
【００２５】
発光用ロッド３は、このように光源部２に接続された状態で、基部筒体３１から筒体３２を、筒体３２から筒体３３を、筒体３３から筒体３４をそれぞれ引き出すことで、図１に示すように、筒体３１の上端部に筒体３２の下端部が、筒体３２の上端部に筒体３３の下端部が、筒体３３の上端部に筒体３４の下端部がそれぞれ支えるように、全体として棒状に伸長させることができる。
【００２６】
また、このように伸長した状態から筒体３１に筒体３２を、筒体３２に筒体３３を、筒体３３に筒体３４をそれぞれ押し込むことで、図２に示すように収縮状態とすることができる。
図１に示すように基部筒体３１の上端部外周面の一部にゴム輪７が連結されているとともに、それとは反対側に引っ掛け部７１が設けられており、発光用ロッド３を図２に示す収縮状態としたとき、図２及び図３に示すように、ゴム輪７を基部筒体３１の上端面に径方向に渡して引っ掛け部７１に引っ掛け、それにより内側の筒体３２〜３４の突出を防止できる。
【００２７】
ゴム輪７及び引っ掛け部７１は、押し入れられた筒体の該基部筒体からの飛び出しを防止する止め具として機能するが、かかる止め具としては、基部筒体３１の上端部に被着可能のキャップ部材等からなるものを採用してもよい。
【００２８】
光源４１Ｒ、４１Ｂ、４１Ｗの点灯消灯のための回路５の構成を図４に示す。
この回路５は、電源（本例では乾電池Ｂ）から定電圧回路５１を介して電力供給されるマイクロコンピュータ５２から各発光ダイオードの点灯、消灯又は点滅の指示信号を出力させ、その指示信号に基づいて増幅回路５３が各発光ダイオードを点灯、消灯又は点滅させるものである。各発光ダイオードの点灯、消灯、点滅は、前記の切替スイッチ６の操作で行える。
【００２９】
すなわち、すべての発光ダイオードが消灯している状態で、スイッチ６を一度押すと、コンピュータ５２の指示に基づき全ての赤色発光ダイオード４１Ｒが連続点灯し（他のものは消灯）、スイッチ６をさらにもう一度押すと、全ての赤色発光ダイオード４１Ｒが点滅を繰り返し（他のものは消灯）、スイッチ６をさらにもう一度押すと、全ての青色発光ダイオード４１Ｂが連続点灯し（他のものは消灯）、スイッチ６をさらにもう一度押すと、全ての青色発光ダイオード４１Ｂが点滅を繰り返し（他のものは消灯）、スイッチ６をさらにもう一度押すと白色発光ダイオード４１Ｗが点灯し（他のものは消灯）、スイッチ６をさらにもう一度押すと全発光ダイオードが消灯する。
【００３０】
発光用ロッド３を図１に示すように棒状に伸長させた状態で、発光ダイオード４１Ｒ又は４１Ｂを点灯或いは繰り返し点滅させると、該発光ダイオードから発せられた光は光源部２の透明な上壁２１を通過して発光用ロッド３の中空部へ出射され、さらに、ロッド壁から外部へ出射される。そのとき、赤色発光ダイオード４１Ｒが点灯していたり、点滅していると赤色の光が出射される。青色発光ダイオード４１Ｂが点灯していたり、点滅していると青色の光が出射される。
【００３１】
また、白色発光ダイオード４１Ｗを点灯させると、その光が光源部２の外部へ出射され、この発光表示器Ａを使用している人の手元等を照明することができる。例えば、警察官が交通取締りに発光表示器Ａを使用したとすると、停止させた車両運転手の免許証等を照らして容易に見ることができる。
【産業上の利用可能性】
【００３２】
本発明は、人及び（又は）車両の交通整理、交通取締りにおける車両停止指示、工場等における各種表示などに用いることができる、伸縮自在の発光表示器を提供することに利用できる。
【図面の簡単な説明】
【００３３】
【図１】本発明に係る発光表示器の１例の、発光用ロッド伸長状態での断面図である。
【図２】図１に示す発光表示器の、発光用ロッド収縮状態での断面図である。
【図３】収縮状態とした発光用ロッドの平面図である。
【図４】表示用光源群の平面図である。
【図５】光源点灯消灯回路例を示す図である。
【符号の説明】
【００３４】
Ａ  発光表示器
１  電源保持部
１１  保持部１の上端
１２  保持部１の底壁
１３  保持部１の上端部雄ネジ
１４  フランジ部
１５  スプリング用接点部
２  光源部
２１  光源部上壁
２２  光源部の上端部の雄ネジ
２３  光源部の下端部の雌ネジ
２４  項源部周壁の一部
２０  シールリング
３  発光用ロッド
３１、３２、３３、３４  ロッド３を構成する筒体
３１１  筒体３１の下端部雌ネジ
３４１  筒体３４の閉じた先端部
４１Ｒ  赤色発光ダイオード
４１Ｂ  青色発光ダイオード
４１Ｗ  白色発光ダイオード
４２、４３  基板
５  光源点灯消灯回路
５１  定電圧回路
５２  マイクロコンピュータ
５３  増幅回路
６  切替スイッチ
【図１】
2007147745.tif 000003
【図２】
2007147745.tif 000004
【図３】
2007147745.tif 000005
【図４】
2007147745.tif 000006
【図５】
2007147745.tif 000007